(57)【要約】【課題】システムコストの上昇を抑えるとともに防犯受信機の動作モードの切替を容易に行う。【解決手段】操作端末器３1，３2の操作部３１（スイッチＳ１１，Ｓ２１）を操作することで防犯受信機１の動作モードを警戒モードに切り替えることができるから、従来例のように動作モードの切替専用の機器（ワイヤレス送信機と受信機）が不要となってシステムコストの上昇を抑えることができる。【選択図】図１
2007172084.tif 000002
【特許請求の範囲】
【請求項１】
住戸に設置されて不審者の侵入等の異常を検知するとともに異常検知時に検知信号を出力する１乃至複数の防犯センサと、防犯センサから出力される検知信号を受信したときに警報を発する警戒モード並びに検知信号を受信しても警報を発しない非警戒モードの２つの動作モードを有し固有のアドレスが割り当てられた防犯受信機と、それぞれに固有のアドレスが割り当てられるとともに住戸に設置された機器の動作を制御し且つ当該機器の動作状態を監視する１乃至複数の制御端末器と、固有のアドレスが割り当てられるとともに手動操作可能な操作部を有し操作部が操作されたときに予め前記アドレスによる対応関係が決められている機器の動作状態を変化させるための指令を生成する１乃至複数の操作端末器とを備え、防犯受信機と制御端末器と操作端末器とが互いに信号線で接続されるとともに前記アドレスにより互いを識別して信号を伝送し、操作端末器で生成された指令が前記対応関係に従って信号線を介して制御端末器に送信され、当該制御端末器は操作端末器から受け取った指令に基づいて機器を制御して動作状態を変化させるとともに変化後の動作状態を信号線を介して当該操作端末器に返信する防犯システムであって、
防犯受信機との間で予め前記アドレスによる対応関係が決められている１乃至複数の特定の操作端末器のアドレス及び当該特定の操作端末器によって制御される機器の動作状態に関する条件を記憶する記憶手段と、前記変化後の動作状態が前記記憶手段に記憶した動作状態に関する条件を満たす場合に警戒モードに設定させるための警戒設定指令を防犯受信機に対し信号線を介して送信する信号処理手段とを備えたことを特徴とする防犯システム。
【請求項２】
前記信号処理手段は、複数の機器の変化後の動作状態が全て前記条件を満たす場合に前記警戒設定指令を防犯受信機に送信することを特徴とする請求項１記載の防犯システム。
【請求項３】
前記記憶手段は、前記条件として特定の操作端末器により制御されて変化する機器の動作状態のパターンを記憶し、前記信号処理手段は、当該機器の動作状態が前記パターンと一致したときに警戒設定指令を防犯受信機に送信することを特徴とする請求項１記載の防犯システム。
【請求項４】
前記信号処理手段は、予め決められた時間帯においてのみ警戒設定指令を防犯受信機に送信することを特徴とする請求項１〜３の何れかに記載の防犯システム。
【請求項５】
防犯受信機は、前記信号処理手段から警戒設定指令を受信して動作モードを非警戒モードから警戒モードに切り替えた後に警戒モードに設定したことを信号線を介して前記信号処理手段に通知し、
前記信号処理手段は、前記通知を受け取ったときに特定の機器の動作状態を二回連続して反転させる指令を当該機器を制御する制御端末器に送信することを特徴とする請求項１〜４の何れかに記載の防犯システム。
【発明の詳細な説明】
【技術分野】
【０００１】
本発明は、住戸への不審者の侵入等の異常を検知して警報を発する防犯システムに関し、特に機器の動作を遠隔から制御及び監視する制御系のシステムを含んだ防犯システムに関するものである。
【背景技術】
【０００２】
従来、機器の動作を遠隔から制御及び監視する制御系のシステムを含み、住戸への不審者の侵入等の異常を検知して警報を発する防犯システムが提案されている（例えば、特許文献１参照)。
【０００３】
かかる従来システムは、住戸に設置されて不審者の侵入等の異常を検知するとともに異常検知時に検知信号を出力する１乃至複数の防犯センサと、防犯センサから出力される検知信号を受信したときに警報を発する警戒モード並びに検知信号を受信しても警報を発しない非警戒モードの２つの動作モードを有する防犯受信機とを備え、住戸の住人が外出時あるいは就寝時に防犯受信機の動作モードを警戒モードに切り替えている。
【特許文献１】特開２００４−２９５４０８号公報
【発明の開示】
【発明が解決しようとする課題】
【０００４】
ところで、上記従来システムにおいては、防犯受信機の動作モードの切替操作を防犯受信機の操作入力部で行い、防犯受信機まで操作者が近づく必要があり煩わしいという問題があった。一方、防犯受信機の動作モードの切替をワイヤレス送信機を使って行う場合には、システムコストが高くなるという問題やワイヤレス送信機を紛失する虞があるといった問題もあった。
【０００５】
本発明は上記事情に鑑みて為されたものであり、その目的は、システムコストの上昇を抑えるとともに防犯受信機の動作モードの切替が容易に行える防犯システムを提供することにある。
【課題を解決するための手段】
【０００６】
請求項１の発明は、上記目的を達成するために、住戸に設置されて不審者の侵入等の異常を検知するとともに異常検知時に検知信号を出力する１乃至複数の防犯センサと、防犯センサから出力される検知信号を受信したときに警報を発する警戒モード並びに検知信号を受信しても警報を発しない非警戒モードの２つの動作モードを有し固有のアドレスが割り当てられた防犯受信機と、それぞれに固有のアドレスが割り当てられるとともに住戸に設置された機器の動作を制御し且つ当該機器の動作状態を監視する１乃至複数の制御端末器と、固有のアドレスが割り当てられるとともに手動操作可能な操作部を有し操作部が操作されたときに予め前記アドレスによる対応関係が決められている機器の動作状態を変化させるための指令を生成する１乃至複数の操作端末器とを備え、防犯受信機と制御端末器と操作端末器とが互いに信号線で接続されるとともに前記アドレスにより互いを識別して信号を伝送し、操作端末器で生成された指令が前記対応関係に従って信号線を介して制御端末器に送信され、当該制御端末器は操作端末器から受け取った指令に基づいて機器を制御して動作状態を変化させるとともに変化後の動作状態を信号線を介して当該操作端末器に返信する防犯システムであって、防犯受信機との間で予め前記アドレスによる対応関係が決められている１乃至複数の特定の操作端末器のアドレス及び当該特定の操作端末器によって制御される機器の動作状態に関する条件を記憶する記憶手段と、前記変化後の動作状態が前記記憶手段に記憶した動作状態に関する条件を満たす場合に警戒モードに設定させるための警戒設定指令を防犯受信機に対し信号線を介して送信する信号処理手段とを備えたことを特徴とする。
【０００７】
請求項２の発明は、請求項１の発明において、前記信号処理手段は、複数の機器の変化後の動作状態が全て前記条件を満たす場合に前記警戒設定指令を防犯受信機に送信することを特徴とする。
【０００８】
請求項３の発明は、請求項１の発明において、前記記憶手段は、前記条件として特定の操作端末器により制御されて変化する機器の動作状態のパターンを記憶し、前記信号処理手段は、当該機器の動作状態が前記パターンと一致したときに警戒設定指令を防犯受信機に送信することを特徴とする。
【０００９】
請求項４の発明は、請求項１〜３の何れかの発明において、前記信号処理手段は、予め決められた時間帯においてのみ警戒設定指令を防犯受信機に送信することを特徴とする。
【００１０】
請求項５の発明は、請求項１〜４の何れかの発明において、防犯受信機は、前記信号処理手段から警戒設定指令を受信して動作モードを非警戒モードから警戒モードに切り替えた後に警戒モードに設定したことを信号線を介して前記信号処理手段に通知し、前記信号処理手段は、前記通知を受け取ったときに特定の機器の動作状態を二回連続して反転させる指令を当該機器を制御する制御端末器に送信することを特徴とする。
【発明の効果】
【００１１】
請求項１の発明によれば、操作端末器の操作部を操作することで防犯受信機の動作モードを警戒モードに切り替えることができるから、防犯受信機の動作モードの切替操作を防犯受信機の操作入力部で行う必要は無く、防犯受信機まで操作者が近づく煩わしさが解消されるとともに、ワイヤレス送信機を使うなどシステムコストが高くなる虞もない。
【００１２】
請求項２の発明によれば、複数の操作端末器の操作を組み合わせて防犯受信機の動作モードを切り替えるので、様々な状況に応じて動作モードを切り換えることができるとともに誤操作を減らすことができる。
【００１３】
請求項３の発明によれば、例えば、機器の動作状態をオフ、オン、オフというパターンで変化させるように操作部を操作することで機器の動作状態に依存せずに防犯受信機の動作モードを切り替えることができる。
【００１４】
請求項４の発明によれば、予め決められた時間帯においてのみ防犯受信機の動作モードを切り替えることができるから、誤操作を減らすことができる。
【００１５】
請求項５の発明によれば、防犯受信機の動作モードが警戒モードに切り替えられたときに特定の機器の動作状態が二回連続して反転するため、例えば、特定の機器が照明器具の場合には消灯、点灯、消灯というように動作状態が変化することで警戒モードへの切替を確認することができる。
【発明を実施するための最良の形態】
【００１６】
以下、図面を参照して本発明の実施形態を詳細に説明する。
【００１７】
本実施形態の防犯システムは、図１に示すように住戸に設置されて不審者の侵入等の異常を検知するとともに異常検知時に検知信号を出力する複数の防犯センサ２と、防犯センサ２から出力される検知信号を受信したときに警報を発する警戒モード並びに検知信号を受信しても警報を発しない非警戒モードの２つの動作モードを有する防犯受信機１と、住戸に設置された機器（例えば、照明器具）５11，５12，５21，５22の動作を制御し且つ機器５11，５12，５21，５22の動作状態を監視する複数の制御端末器４1，４2と、手動操作可能なスイッチＳ１１，Ｓ１２，Ｓ２１，Ｓ２２を有しスイッチＳ１１，…が操作されたときに機器５11，…の動作状態を変化させるための指令を生成する複数の操作端末器３1，３2と、防犯受信機１、操作端末器３1，３2、制御端末器４1，４2が信号線Ｌｓを介して接続された中央処理装置６とを備えている。ここで、防犯受信機１、操作端末器３1，３2、制御端末器４1，４2、中央処理装置６にはそれぞれ固有のアドレスが割り当てられており、当該アドレスによって防犯受信機１、操作端末器３1，３2、制御端末器４1，４2、中央処理装置６が互いを識別して信号線Ｌｓを介した伝送信号の授受を行うことができる。
【００１８】
防犯センサ２は、例えば住戸の窓が空けられたり或いは窓ガラスが割られたときに生じる振動を検知するものや、検知エリアにおける人の存在を検知するもの、あるいは玄関扉の錠が解錠されたことを検知するものなどがあり、これらの異常を検知したときに接続線Ｌｘを介して防犯受信機１に検知信号を出力する。但し、このような防犯センサ２は従来周知であるから詳細な構成の図示並びに説明は省略する。
【００１９】
防犯受信機１は、図２に示すように信号線Ｌｓを介して伝送信号を伝送する信号伝送部１０と、防犯センサ２から出力された検知信号を接続線Ｌｘを介して取り込む防犯センサインタフェース（Ｉ／Ｆ）部１１と、ＣＰＵを主構成要素とする制御部１２と、制御部１２により制御されて音や光による警報を発生する警報発生部１３とを具備する。ここで、制御部１２には上述のように警戒モードと非警戒モードの２つの動作モードが有り、警戒モードに設定されているときに何れかの防犯センサ２から検知信号が出力されると制御部１２が警報発生部１３を制御して警報を発生させることにより住戸の住人に異常の発生（例えば、窓ガラスの破壊）を知らせる。なお、警報発生部１３による警報発生だけでなく、防犯受信機１から信号線Ｌｓを介して伝送する伝送信号で機器５11，…の動作状態を変化（例えば、短い周期での点滅）させることで警報を発生させても構わない。
【００２０】
操作端末器３1，３2は、図３に示すように信号線Ｌｓを介して伝送信号を伝送する信号伝送部３０と、１乃至複数（図１では２つ）のスイッチＳ１１，Ｓ１２、Ｓ２１，Ｓ２２を有しスイッチＳ１１，…が操作されたときに操作信号を出力する操作部３１と、ＣＰＵを主構成要素とし操作部３１から出力される操作信号を取り込んで制御データを生成する機能や生成した制御データを信号伝送部３０から伝送信号により制御端末器４1，４2に伝送させる機能などを有する制御部３２とを具備する。ここで、操作端末器３1，３2に割り当てられるアドレスは、端末器自体を識別するための端末器アドレスと、操作部３１が有する２つのスイッチＳ１１，…を識別するためのスイッチアドレスとで構成される。したがって、２つのスイッチＳ１１，…にそれぞれ別の機器５11を対応させることができる。
【００２１】
制御端末器４1，４2は、図４に示すように信号線Ｌｓを介して伝送信号を伝送する信号伝送部４０と、複数のリレー（図示せず）を有し当該リレーを駆動することで機器５11，…への給電を入切して動作状態を変化させる機器インタフェース（Ｉ／Ｆ）部４１と、ＣＰＵを主構成要素とし操作端末器３1，３2から受け取った伝送信号に含まれる制御データに応じて機器Ｉ／Ｆ部４１のリレーを駆動する機能や機器５11，…の動作状態（＝リレーの駆動状態）を示す動作状態データを伝送信号により操作端末器３1，３2に伝送させる機能などを有する制御部４２とを具備する。ここで、制御端末器４1，４2に割り当てられるアドレスは、端末器自体を識別するための端末器アドレスと、機器Ｉ／Ｆ部４１が有する２つのリレー（機器５11，…）を識別するための機器アドレスとで構成される。
【００２２】
本実施形態においては、操作端末器３1のスイッチＳ１１，Ｓ１２でそれぞれ機器５11，５12を個別にオン・オフ（点灯・消灯）させ、操作端末器３2のスイッチＳ２１，Ｓ２２でそれぞれ機器５21，５22を個別にオン・オフ（点灯・消灯）させるようにアドレスの対応関係が設定され、操作端末器３1，３2並びに制御端末器４1，４2がそれぞれ具備する不揮発性メモリ（図示せず）に前記対応関係が記憶されている。
【００２３】
図６は伝送信号のフォーマットを示し、送信先アドレス、送信元アドレス、パケット種別、制御内容で構成される。また送信先アドレス並びに送信元アドレスは、端末器アドレスとスイッチアドレス若しくは機器アドレスとで構成されている。パケット種別には、図７に示すように制御端末器４1，４2に対して機器５11，…の動作制御を要求する制御要求（制御内容はオフ制御とオン制御と二回連続反転制御）と、制御端末器４1，４2から制御要求の送信元に返信する制御結果（制御内容はＡＣＫとＮＡＫ）と、制御端末器４1，４2に対して現在の機器５11，…の動作状態を問い合わせる状態要求と、制御端末器４1，４2から状態要求の送信元に返信する状態通知（制御内容はオフ状態とオン状態）と、制御端末器４1，４2からアドレスの対応関係を有する操作端末器３1，３2等に対して機器５11，…の動作状態が変化したことを通知する状態変化通知（制御内容はオフ状態とオン状態）とがあり、それぞれに固有のビット列が割り当てられている。
【００２４】
例えば、スイッチＳ１１が操作されると操作端末器３1の制御部３２は、パケット種別を制御要求、制御内容をオン制御とする制御データを生成し、図示しないメモリに記憶しているアドレスの対応関係を参照して制御端末器４1の端末器アドレスと機器５11に対応する機器アドレスを送信先アドレスとし、自己の端末器アドレス及びスイッチＳ１１のスイッチアドレスを送信元アドレスとして、生成した制御データ（パケット種別並びに制御内容）を含む伝送信号を信号伝送部３０より信号線Ｌｓを介して伝送させる。すると、送信先アドレスが自己のアドレスと一致する制御端末器４1が当該伝送信号を信号伝送部４０から制御部４２に取り込み、制御データに基づいて制御部４２が機器Ｉ／Ｆ部４１の一方のリレーをオン駆動することで機器５11の動作状態がオフからオンに切り替わる。そして、制御部４２は、パケット種別を制御結果、制御内容をＡＣＫ（制御要求通りの制御を完了したこと）とする制御データを生成し、制御要求の送信元である操作端末器３1の端末器アドレス及びスイッチＳ１１のスイッチアドレスを送信先アドレスとし、自己の端末器アドレス及び機器５11に対応する機器アドレスを送信元アドレスとして、生成した制御データ（パケット種別並びに制御内容）を含む伝送信号を信号伝送部４０より信号線Ｌｓを介して伝送させる。操作端末器３1においては、制御端末器４1から前記制御データを受け取ると、制御部３２がメモリ（図示せず）に記憶している機器５11の動作状態をオン状態に変更する。
【００２５】
一方、中央処理装置６は、図５に示すように信号線Ｌｓを介して防犯受信機１、操作端末器３1，３2、制御端末器４1，４2との間で伝送信号を伝送する信号伝送部６０と、不揮発性メモリからなる記憶部６１と、ＣＰＵを主構成要素とする信号処理部６２とを具備する。記憶部６１には、防犯受信機１に割り当てられている固有のアドレスと、防犯受信機１との間でアドレスによる対応関係が決められている１乃至複数の特定の操作端末器のアドレス及び当該操作端末器によって制御される機器の動作状態に関する条件を記憶している。例えば、操作端末器３1，３2のアドレスが防犯受信機１のアドレスと対応付けられ、操作端末器３1で制御可能な機器５11がオン状態であるという条件（第１の条件）と、操作端末器３2で制御可能な機器５21がオフ状態であるという条件（第２の条件）とが設定されて記憶部１１に記憶される。
【００２６】
次に、図８のシーケンスフローを参照して防犯受信機１を警戒モードに設定する動作について説明する。なお、既に説明したように操作端末器３1，３2では制御対象の機器５11，５12，５21，５22の動作状態（オン状態又はオフ状態）を制御部３２がメモリに記憶して管理しており、図８では操作端末器３1，３2で管理する機器５11，５21がオン状態のときにスイッチがオン、機器５11，５21がオフ状態のときにスイッチがオフと表している。
【００２７】
まず、機器５11がオン状態且つ機器５21がオフ状態、すなわち、スイッチＳ１１がオン、スイッチＳ２１がオフであったとする。但し、かかる状況は中央処理装置６の記憶部６１にも記憶されている。このとき、操作端末器３1のスイッチＳ１１が操作されて操作端末器３1から制御端末器４1に対して機器５11をオンさせるための制御要求が伝送信号で伝送されると、制御端末器４1では、制御部４２が機器Ｉ／Ｆ部４１を制御して機器５11をオンするとともに機器５11をオン状態としたことを示す制御結果を伝送信号により操作端末器３1に返送する。当該制御結果を受信した操作端末器３1の制御部３２は、機器５11の状態がオフ状態からオン状態に変化したこと、つまり、スイッチＳ１１がオフからオンの状態に変化したことを通知するために、中央処理装置６に対して状態変化通知の伝送信号を送信する。
【００２８】
中央処理装置６では、当該状態変化通知を受け取った信号処理部６２が記憶部６１に記憶している条件と照らし合わせ、スイッチＳ１１がオン、つまり、機器５11がオン状態であるという第１の条件に一致していることから第１の条件に対して一致フラグをセットする。但し、この時点では機器５21がオン状態であるから第２の条件に一致しないので、第２の条件の一致フラグはセットされておらず、従って信号処理部６２は何の処理も行わない。
【００２９】
さらに、操作端末器３2のスイッチＳ２１が操作されて操作端末器３2から制御端末器４2に対して機器５21をオフさせるための制御要求が伝送信号で伝送されると、制御端末器４2では、制御部４２が機器Ｉ／Ｆ部４１を制御して機器５21をオフするとともに機器５21をオフ状態としたことを示す制御結果を伝送信号により操作端末器３2に返送する。当該制御結果を受信した操作端末器３2の制御部３２は、機器５21の状態がオン状態からオフ状態に変化したこと、つまり、スイッチＳ２１がオンからオフの状態に変化したことを通知するために、中央処理装置６に対して状態変化通知の伝送信号を送信する。
【００３０】
中央処理装置６では、当該状態変化通知を受け取った信号処理部６２が記憶部６１に記憶している条件と照らし合わせ、スイッチＳ２１がオフ、つまり、機器５21がオフ状態であるという第２の条件に一致していることから第２の条件に対して一致フラグをセットする。その結果、第１及び第２の条件の双方に一致フラグがセットされたので、信号処理部６２はパケット種別を制御要求、制御内容をオン制御とする制御データ（警戒設定指令）を生成し、記憶部６１に記憶している防犯受信機１のアドレスを送信先アドレスとし、自己のアドレスを送信元アドレスとして、生成した制御データ（パケット種別並びに制御内容）を含む伝送信号を信号伝送部３０より信号線Ｌｓを介して伝送させる。すると、送信先アドレスが自己のアドレスと一致する防犯受信機１が当該伝送信号を信号伝送部１０から制御部１２に取り込み、制御データに基づいて制御部１２が動作モードを警戒モードに切り替える。さらに制御部１２は、パケット種別を制御結果、制御内容をＡＣＫ（警戒モードに設定したこと）とする制御データを生成し、制御要求の送信元である中央処理装置６のアドレスを送信先アドレスとし、自己のアドレスを送信元アドレスとして、生成した制御データ（パケット種別並びに制御内容）を含む伝送信号を信号伝送部１０より信号線Ｌｓを介して伝送させる。
【００３１】
一方、中央処理装置６においては、防犯受信機１から前記制御データを受け取ると、信号処理部６２が記憶部６１に記憶している防犯受信機１の動作モードを非警戒モードから警戒モードに変更する。さらに信号処理部６２は、記憶部６１に記憶されているアドレスの対応関係に基づいて特定の機器（例えば、機器５11）の動作状態を二回連続して反転させるための制御データ、つまり、パケット種別を制御要求、制御内容を二回連続反転制御とする制御データを生成し、当該制御データを含む伝送信号を信号伝送部６０より信号線Ｌｓを介して伝送させる。制御端末器４1では、制御部４２が機器Ｉ／Ｆ部４１を制御して機器５11をオンからオフに反転させた後にオフからオンに再度反転させる。その結果、照明器具からなる機器５11では短い周期で点灯、消灯、点灯というように動作状態が二回反転することになり、このことによって、住人に対して防犯受信機１が警戒モードに設定されたことを知らせることができる。
【００３２】
而して、上述のように本実施形態によれば、操作端末器３1，３2の操作部３１（スイッチＳ１１，Ｓ２１）を操作することで防犯受信機１の動作モードを警戒モードに切り替えることができるから、防犯受信機１から離れた場所（操作端末器３１、３２の設置場所）で動作モードを容易に切り替えることができる。また、本実施形態では複数（２台）の操作端末器３1，３2の操作を組み合わせて防犯受信機１の動作モードを切り替えるようにしているので、様々な状況に応じて動作モードを切り換えることができるとともに誤操作を減らすことができるという利点がある。
【００３３】
ところで、記憶部６１に記憶する前記条件として、例えば、操作端末器３2のスイッチＳ２２が所定時間（例えば、３秒）の間に続けて操作されてスイッチＳ２２の状態がオフ、オンというパターンで変化することを条件とすれば、機器５22の動作状態に依存せずに防犯受信機１の動作モードを切り替えることができる。あるいは、警戒モードに設定する時間帯がほぼ一定であるような場合、中央処理装置６の記憶部６１に警戒モード設定を有効とする時間帯を記憶しておき、当該時間帯においてのみ制御データ（警戒設定指令）を防犯受信機１に伝送可能とすれば、防犯受信機１が警戒モードに設定される時間帯を限定することで誤操作を減らすことができるという利点がある。
【００３４】
なお、本実施形態では信号処理手段たる信号処理部６２と記憶手段たる記憶部６１を中央処理装置６に具備しているが、これらの各手段を操作端末器３や制御端末器４に具備してもよい。
【００３５】
ここで、エミット（ＥＭＩＴ（Embedded Micro Internetworking Technology）)と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末（図示せず）から様々な設備機器（照明装置、空調装置、動力装置、センサ、電気錠、ウェブカメラ等、以降、ＥＭＩＴ端末と称する。）＜図示せず＞にアクセスして、ＥＭＩＴ端末を遠隔監視・制御することができる。
【００３６】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。例えば、本実施形態においては防犯受信機１、操作端末器３１、３２、制御端末器４１、４２、中央処理装置６にＥＭＩＴソフトウェアを実装してもよい。
【図面の簡単な説明】
【００３７】
【図１】本発明の実施形態を示すシステム構成図である。
【図２】同上における防犯受信機のブロック図である。
【図３】同上における操作端末器のブロック図である。
【図４】同上における制御端末器のブロック図である。
【図５】同上における中央処理装置のブロック図である。
【図６】同上における伝送信号の説明図である。
【図７】同上における伝送信号の説明図である。
【図８】同上の動作説明用のシーケンスフローである。
【符号の説明】
【００３８】
１  防犯受信機
２  防犯センサ
３1，３2  操作端末器
４1，４2  制御端末器
５11，５12，５21，５22  機器
６  中央処理装置（記憶手段、信号処理手段）
【図１】
2007172084.tif 000003
【図２】
2007172084.tif 000004
【図３】
2007172084.tif 000005
【図４】
2007172084.tif 000006
【図５】
2007172084.tif 000007
【図６】
2007172084.tif 000008
【図７】
2007172084.tif 000009
【図８】
2007172084.tif 000010